(57)【要約】      （修正有）【課題】砂利等の地面にかえしたいものと、落ち葉等の廃棄処分したいものとを極めて簡単な作業で分別することができ、しかも手間を掛けることなく水路内の落ち葉等を引き上げることが可能で、更に清掃する場所によって落ち葉等のサイズがまちまちである場合にも対応することができる塵取り具を提供する。【解決手段】塵取り具１は、箕体３と持ち手部１３とからなり、箕体３は、底面部５と壁部７を備え、前側を取り入れ口９とする。塵取り具１を地面に置き、竹箒などで落ち葉を掃くようにして塵取り具１へ入れる。箕体３には多数の穴３ａが形成されているので、砂利は穴３ａを通って箕体３外へ排出される。更に、持ち手部１３を持って塵取り具１を上下左右に揺すれば、砂利が穴３ａを通って箕体３外へ確実に排出されることになり、落ち葉だけが箕体３に残ることになる。このように、砂利等の地面にかえしたいものと、落ち葉等の廃棄処分したいものとを極めて簡単な作業で分別することができる。【選択図】図１
0003230524.tif 000002
【実用新案登録請求の範囲】
【請求項１】
底面部とこの底面部の左側から後側を回り込んで右側まで連なって立設される壁部とを備え、前側を落ち葉等の被収集物を取り入れ可能な取り入れ口とする箕体と、後側の壁部に下端側が固定され上方へ向かって延びる持ち手部とからなる塵取り具において、前記箕体には多数の穴が形成されていることを特徴とする塵取り具。
【請求項２】
請求項１に記載した塵取り具において、多数の穴は同じサイズであることを特徴とする塵取り具。
【請求項３】
請求項１または２に記載した塵取り具において、箕体は弾性的に変形可能な材料により構成されていることを特徴とする塵取り具。
【請求項４】
請求項１から３のいずれかに記載した塵取り具において、箕体の左右両側の壁部は取り入れ口側が底面部より外方へ広がっており、前記取り入れ口が狭まる方向と広がる方向へ弾性的に変形可能であることを特徴とする塵取り具。
【請求項５】
請求項１から４のいずれかに記載した塵取り具において、箕体の縁部分には板状の補強部が形成されていることを特徴とする塵取り具。
【請求項６】
請求項１から５のいずれかに記載した塵取り具において、箕体の底面部の前端に沿って補強板が取り付けられていることを特徴とする塵取り具。
【請求項７】
請求項１から６のいずれかに記載した塵取り具において、壁部の上端に沿ってワイヤが取り付けられていることを特徴とする塵取り具。
【請求項８】
請求項１から７のいずれかに記載した塵取り具において、箕体の穴のサイズより小さいサイズの多数の穴が形成され底面部に重ねて着脱自在に取り付け可能な穴サイズ変更板を具備することを特徴とする塵取り具。
【考案の詳細な説明】
【技術分野】
【０００１】
本考案は、落ち葉の収集に適した塵取り具に関するものである。
【背景技術】
【０００２】
樹木が多く存在する場所を清掃する場合には、大量の落ち葉や小枝を収集する必要がある。この場合、箒等を用いて落ち葉を塵取り具へ収容するが、落ち葉と一緒に砂利、土が塵取り具へ混じることになり、落ち葉を焼却した際に焼却炉内に残ってしまう等の問題がある。
特許文献１に記載された篩機能付塵取り具は、第一手箕体上に、篩部を備えた第二手箕体が取り付けられ、篩落とし小孔を通過した砂利等が第一手箕体の収容空間部に収容されるようになっており、砂利等の地面にかえしたいものと、落ち葉等の廃棄処分したいものとを分別する。
【先行技術文献】
【特許文献】
【０００３】
【特許文献１】特開２０１９−６９０３２号公報
【考案の概要】
【考案が解決しようとする課題】
【０００４】
しかしながら、上記従来の篩機能付塵取り具は、収容空間部に収容された砂利等を出すためには、第一手箕体から第二手箕体をいちいち外さなくてはならず、作業が面倒であるという問題がある。
また、水路内の落ち葉等を収集する場合、塵取り具の幅寸法が水路の幅寸法より大きいと、手や箒等の道具によって水路から落ち葉等を引き上げる必要があり、相当な手間が掛かってしまうことになる。
更に、清掃する場所によって落ち葉等のサイズはまちまちであり、篩落とし小孔のサイズが一種類である場合は、砂利等の地面にかえしたいものと落ち葉等の廃棄処分したいものとの分別を行うことができないおそれもある。
本考案は、上記従来の問題点に着目して為されたものであり、砂利等の地面にかえしたいものと、落ち葉等の廃棄処分したいものとを極めて簡単な作業で分別することができ、しかも手間を掛けることなく水路内の落ち葉等を引き上げることが可能で、更に清掃する場所によって落ち葉等のサイズがまちまちである場合にも対応することができる塵取り具の提供を、その目的とする。
【課題を解決するための手段】
【０００５】
本考案は上記課題を解決するためになされたものであり、請求項１の考案は、底面部とこの底面部の左側から後側を回り込んで右側まで連なって立設される壁部とを備え、前側を落ち葉等の被収集物を取り入れ可能な取り入れ口とする箕体と、後側の壁部に下端側が固定され上方へ向かって延びる持ち手部とからなる塵取り具において、前記箕体には多数の穴が形成されていることを特徴とする塵取り具である。
【０００６】
請求項２の考案は、請求項１に記載した塵取り具において、多数の穴は同じサイズであることを特徴とする塵取り具。
【０００７】
請求項３の考案は、請求項１または２に記載した塵取り具において、箕体は弾性的に変形可能な材料により構成されていることを特徴とする塵取り具である。
【０００８】
請求項４の考案は、請求項１から３のいずれかに記載した塵取り具において、箕体の左右両側の壁部は取り入れ口側が底面部より外方へ広がっており、前記取り入れ口が狭まる方向と広がる方向へ弾性的に変形可能であることを特徴とする塵取り具である。
【０００９】
請求項５の考案は、請求項１から４のいずれかに記載した塵取り具において、箕体の縁部分には板状の補強部が形成されていることを特徴とする塵取り具である。
【００１０】
請求項６の考案は、請求項１から５のいずれかに記載した塵取り具において、箕体の底面部の前端に沿って補強板が取り付けられていることを特徴とする塵取り具である。
【００１１】
請求項７の考案は、請求項１から６のいずれかに記載した塵取り具において、壁部の上端に沿ってワイヤが取り付けられていることを特徴とする塵取り具である。
【００１２】
請求項８の考案は、請求項１から７のいずれかに記載した塵取り具において、箕体の穴のサイズより小さいサイズの多数の穴が形成され底面部に重ねて着脱自在に取り付け可能な穴サイズ変更板を具備することを特徴とする塵取り具である。
【考案の効果】
【００１３】
本考案の塵取り具によれば、砂利等の地面にかえしたいものと、落ち葉等の廃棄処分したいものとを極めて簡単な作業で分別することができる。
更に、手間を掛けることなく水路内の落ち葉等を引き上げることが可能となる。
また、清掃する場所によって落ち葉等のサイズがまちまちである場合にも対応することができる。
【図面の簡単な説明】
【００１４】
【図１】第１の実施の形態に係る塵取り具の斜視図である。
【図２】図１の塵取り具の使用方法を説明するための斜視図である。
【図３】図１の塵取り具の幅寸法が小さい水路における使用方法を説明するための図である。
【図４】図１の塵取り具の幅寸法が小さい水路における使用方法を説明するための図である。
【図５】図１の塵取り具の取り入れ口を広げて使用する方法を説明するための斜視図である。
【図６】図１の塵取り具の取り入れ口を広げて使用する方法を説明するための斜視図である。
【図７】図１の塵取り具の箕体の穴のサイズを変更する方法を説明するための図である。
【図８】第２の実施の形態に係る塵取り具の斜視図である。
【考案を実施するための形態】
【００１５】
本考案の第１の実施の形態に係る塵取り具１を図１から図７にしたがって説明する。
符号３は箕体を示し、この箕体３は弾性変形可能な材料であるポリプロピレン系の合成樹脂製で同じサイズの多数の矩形の穴３ａを有する網状体によって構成されている。
箕体３は底面部５とこの底面部の左側から後側を回り込んで右側まで連なって立設される壁部７とを備えている。箕体３の前側は落ち葉等の被収集物を取り入れ可能な取り入れ口９となっている。また、箕体３の左右両側の壁部７ａ、７ｂは取り入れ口９側が底面部５より外方へ広がっている。箕体３の縁部分には板状の補強部１１が形成されている。
箕体３の左右両側の壁部７ａ、７ｂは取り入れ口９が狭まる方向と広がる方向へ弾性的に変形可能である。
【００１６】
符号１３は持ち手部を示し、この持ち手部１３の下端側は箕体３の後側の壁部７ｃに固定され上方へ向かって延びている。持ち手部１３は平行に配置された左右一対の棒状部１３ａ、１３ｂと棒状部１３ａ、１３ｂの上端どうしを連結する連結部１３ｃを有し、更に連結部１３ｃの長手方向の中心にはパイプ部１３ｄが設けられている。パイプ部１３ｄは取り入れ口９側へやや傾斜する姿勢で備えられている。
【００１７】
次に、この塵取り具１の使用方法を説明する。
図２に示すように塵取り具１を地面に置き、竹箒などで落ち葉Ｌを掃くようにして取り入れ口９から箕体３へ入れる。箕体３には多数の穴３ａが形成されているので、砂利Ｓは穴３ａを通って箕体３外へ排出される。更に、持ち手部１３を持って塵取り具１を上下左右に揺することで、砂利Ｓが穴３ａを通って箕体３外へ確実に排出されることになり、落ち葉Ｌだけが箕体３に残ることになる。
また、持ち手部１３を持ち地面を摺るように箕体３を図２において矢印で示す方向へ移動させれば、落ち葉Ｌが取り入れ口９から箕体３に収容される。この場合においても砂利Ｓが穴３ａを通って箕体３外へ排出され、落ち葉Ｌだけが箕体３に残る。箕体３には補強部１１が形成されているので、このような使い方をしても箕体３が破損することはない。なお、補強部１１は箕体３を図１に示す形態に保ち、且つ取り入れ口９が狭まる方向と広がる方向へ弾性変形可能な状態とする役割を果たしている。
このように、砂利Ｓ等の地面にかえしたいものと、落ち葉Ｌ等の廃棄処分したいものとを極めて簡単な作業で分別することができる。
また、図５、図６に示すように塵取り具１を地面に置いた状態として、持ち手部１３を箕体３の前側に倒せば、持ち手部１３と共に後側の壁部７ｃが前側へ倒れるように弾性変形する。これにより、左側の壁部７ａと右側の壁部７ｂが互いに離間するように倒れて、取り入れ口９が広がる方向へ弾性的に変形する。取り入れ口９を広げることで、多くの落ち葉Ｌ等を簡単に箕体３へ取り入れることが可能となる。
【００１８】
図３、図４に示すように水路Ｗ内の落ち葉Ｌを収集する場合は、持ち手部１３を掴み、箕体３を底面部５側から水路Ｗへ押し込む。この際、左右両側の壁部７ａ、７ｂは水路Ｗの左右の内側面に押圧されて、取り入れ口９が狭まる方向へ弾性的に変形して、箕体３は水路Ｗに嵌り込む。この状態で箕体３が水路Ｗの底面を摺るように移動させれば、落ち葉Ｌが箕体３に入る。
このように、塵取り具１は水路Ｗの幅寸法が箕体３の幅寸法より小さい場合にも対応することができ、水路Ｗ内の落ち葉Ｌを極めて簡単に収集することができる。
【００１９】
図７において、符号１５は穴サイズ変更板を示し、この穴サイズ変更板１５は箕体３の穴３ａのサイズより小さいサイズの多数の穴１５ａが形成されている。穴サイズ変更板１５は底面部５に重なる形状、サイズを有している。
穴サイズ変更板１５を底面部５に重ねて、市販の結束バンド１７を穴１５ａと穴３ａに通して、凹凸部が形成されたバンド部１７ａを内面に凸状のストッパが形成された挿通穴１７ｂへ通して凹凸部をストッパに係合させることで、穴サイズ変更板１５を箕体３に固定する。なお、結束バンド１７による固定は複数個所において行う。これにより、底面部５の穴のサイズが穴サイズ変更板１５の穴１５ａのサイズとなり、穴３ａより小さいものに変更されることになる。
【００２０】
このように、穴１５ａのサイズは穴３ａより小さいので、落ち葉Ｌの小片、小枝など、穴３ａでは通過してしまう大きさのものを収集することができる。
なお、箕体３に穴サイズ変更板１５を固定している結束バンド１７の結束を解くことで、穴サイズ変更板１５を取り外すことができるので、使用する場所の落ち葉Ｌ等の大きさによって穴サイズ変更板１５を着脱すれば、種々の大きさの落ち葉Ｌ等を確実に収集することが可能となる。
【００２１】
図８によって本考案の第２の実施の形態に係る塵取り具２１を説明する。
この塵取り具２１は第１の実施の形態に係る塵取り具１と同様の構成部分を有するので、同様の構成部分については第１の実施の形態で用いた符号と同じ符号を付して、その説明を省略する。
箕体２３は板状の補強部１１を有しておらず、その縁部は線状の部材によって構成されている。箕体２３の底面部２５の前端に沿って金属製の補強板２７が取り付けられている。この補強板２７は二つ折りに曲げられて底面部２５の前端を挟み込んでおり、その対向部においてスポット溶接が施されて前端から外れないようになっている。
【００２２】
また、箕体２３の壁部２９の上端に沿ってワイヤ３１が取り付けられている。ワイヤ３１は合成樹脂製のカバー３３に覆われており、このカバー３３と共に金属製または合成樹脂製の固定具３５によって壁部２９の上端に沿う状態に取り付けられている。すなわち、固定具３５はカバー３３ごとワイヤ３１を挟み込んで、箕体２３の穴２３ａを通っており、この状態で固定具３５の両端部が開かないように規制されて、ワイヤ３１がカバー３３と共に壁部２９の上端に沿う状態に取り付けられている。
この塵取り具２１は補強板２７、ワイヤ３１を備えることで十分な強度、耐久性を有している。なお、ワイヤ３１は箕体２３を図８に示す形態に保ち、且つ取り入れ口９が狭まる方向と広がる方向へ弾性変形可能な状態とする役割を果たしている。
【００２３】
以上、本考案の実施の形態について詳述してきたが、具体的構成は、この実施の形態に限られるものではなく、本考案の要旨を逸脱しない範囲における設計の変更等があっても考案に含まれる。
例えば、上記実施の形態では箕体をポリプロピレン系の合成樹脂によって構成したが、本考案はこれに限定されず、他の合成樹脂或いは鉄、ステンレス等の金属によって構成してもよい。
また、上記実施の形態では、箕体の多数の穴を同じサイズとしたが、異なるサイズの穴を混在させてもよい。また、穴の形状は矩形以外の円形、六角等であってもよい。
穴サイズ変更板は箕体底面部だけ重なる形状、サイズに限らず、後側の壁部にも重なる形状、サイズのものとしてもよい。
【産業上の利用可能性】
【００２４】
本考案の塵取り具は清掃道具製造業において利用可能性を有する。
【符号の説明】
【００２５】
１…塵取り具        ３…箕体          ３ａ…穴          ５…底面部    ７…壁部
７ａ…左側の壁部    ７ｂ…右側の壁部  ７ｃ…後側の壁部  ９…取り入れ口
１１…補強部        １３…持ち手部    １３ａ、１３ｂ…一対の棒状部
１３ｃ…連結部      １３ｄ…パイプ部  １５…穴サイズ変更板            １５ａ…穴
１７…結束バンド    １７ａ…バンド部  １７ｂ…挿通穴    ２１…塵取り具
２３…箕体          ２３ａ…穴        ２５…底面部      ２７…補強板  ２９…壁部
３１…ワイヤ        ３３…カバー      ３５…固定具
Ｌ…落ち葉          Ｓ…砂利          Ｗ…水路
【図１】
0003230524.tif 000003
【図２】
0003230524.tif 000004
【図３】
0003230524.tif 000005
【図４】
0003230524.tif 000006
【図５】
0003230524.tif 000007
【図６】
0003230524.tif 000008
【図７】
0003230524.tif 000009
【図８】
0003230524.tif 000010